(57)【要約】【課題】非接触式ＩＣカードリーダにおいて、カード媒体の種類を判別し、通信ができなかった場合の要因を推定するカードリーダを提供する。【解決手段】カードリーダにおいて、ＩＣカード９０と通信を行う通信回路（通信アンテナ、非接触制御ＩＣ）と別に、ＩＣカード９０の種類を検出する検出アンテナ１０と、検出アンテナ１０に接続されカードの特性を検出する検出回路５０と、検出回路５０の検出結果を基にカード媒体の種類を判別する判別部５５と、を有する。検出アンテナ１０に設定されている周波数帯域は、通信アンテナによる通信に設定されている周波数帯域とは異なって設定されている。検出回路５０において、整流回路２０は、検出された電圧を整流化し、電圧変換回路３０が比較結果を判別部５５へ通知する。【選択図】図３
2019114069.tif 000002
【特許請求の範囲】
【請求項１】
非接触式ＩＣカードと通信を行う通信アンテナと、前記非接触式ＩＣカードとの通信用信号を処理する通信信号処理部と、を備え、電磁誘導によって前記非接触式ＩＣカードと非接触で情報の通信を行うカードリーダであって、
当該カードリーダと通信を行うカード媒体の種類を検出する検出アンテナと、
前記検出アンテナに接続され、前記カード媒体の特性を検出する検出回路と、
前記検出回路の検出結果から判別基準に基づいて前記カード媒体の種類を判別する判別部と、を有し、
前記検出アンテナが前記カード媒体と通信する周波数帯域は、前記非接触式ＩＣカードの使用周波数に対応する前記通信アンテナの周波数帯域とは異なって設定されている
ことを特徴とするカードリーダ。
【請求項２】
請求項１において、
前記検出回路は、前記検出アンテナで検出された電圧を整流する整流回路と、前記整流回路で整流された電圧をデジタルデータに変換する電圧変換回路とを含むことを特徴とするカードリーダ。
【請求項３】
請求項２において、
前記電圧変換回路は、前記整流された電圧を基準電圧に対して比較した結果を前記判別部に出力するコンパレータを含むことを特徴とするカードリーダ。
【請求項４】
請求項３において、
前記基準電圧は、当該カードリーダと通信することが想定される複数種類の前記カード媒体に対応する複数種類の基準電圧であることを特徴とするカードリーダ。
【請求項５】
請求項２において、
前記電圧変換回路は、前記整流された電圧をアナログ・デジタル変換した結果を前記判別部に出力するＡ／Ｄコンバータを含むことを特徴とするカードリーダ。
【請求項６】
請求項１ないし５のいずれかにおいて、
前記検出アンテナは、ループ状の前記通信アンテナの内側に配置されていることを特徴とするカードリーダ。
【請求項７】
請求項１ないし５のいずれかにおいて、
前記検出アンテナは、前記非接触式ＩＣカードが挿入されるカード挿入部に配置されていることを特徴とするカードリーダ。
【発明の詳細な説明】
【技術分野】
【０００１】
本発明は、カードリーダに係り、例えば、非接触式ＩＣカードと電磁誘導によって非接触で情報の通信を行うカードリーダに関する。
【背景技術】
【０００２】
自動券売機などにおいて、磁気カードに対して特定の情報の記録・再生を行うカードリーダが採用されている。それらのカードリーダにおいて、装置本体内に挿入されたカードの正否や表裏を判断する検出機能を、カード挿入口の直後に配置することがしばしば行われており、各種の技術が提案されている（例えば、特許文献１参照）。特許文献１に開示の技術では、ＩＣカードの挿入方向における読取／書込位置より上流側の適宜の位置に、ＩＣカードの接点端子部の検知によって挿入されたカードの正否を検出する入口センサを設け、使用環境の温度変化にかかわらず、ＩＣカードの有無に関して安定的な検出動作を可能としている。
【先行技術文献】
【特許文献】
【０００３】
【特許文献１】特開２００３−３３７９２２号公報
【発明の概要】
【発明が解決しようとする課題】
【０００４】
ところで、カード媒体の形状等については、カード媒体の種類毎にＩＳＯ等の規格によって定められている。例えば、接触式ＩＣカードはＩＳＯ７８１６−１、磁気カードはＩＳＯ７８１０等で規格化されている。カードリーダに対する利用者側の操作方法や、挿入されたカード媒体の表裏や向き等が正しくない場合、通信が行えない。一般的にカード媒体の読み取りの可否は、通信時の媒体の応答により判断出来る。しかし、読み取り失敗時（通信ができなかった場合）の応答から失敗の要因が断定出来ない場合は、不具合理由の推測が難しいという課題があった。近年、カード媒体として複数種類が利用されるようになってきており、非接触媒体を接触モードで通信したり、接触媒体を非接触で通信するというようなケアレスミスが生じた場合や、カード媒体のＩＣの故障が生じた場合も同様に応答値だけの情報では不具合理由の推測が困難という課題がある。
【０００５】
本発明は、カードリーダにおいて、挿入されたカード媒体の種類を判別するとともに、カード媒体との通信ができなかった場合の要因を推定する技術を提供することにある。
【課題を解決するための手段】
【０００６】
本発明の一態様は、非接触式ＩＣカードと通信を行う通信アンテナと、前記非接触式ＩＣカードとの通信用信号を処理する通信信号処理部と、を備え、電磁誘導によって前記非接触式ＩＣカードと非接触で情報の通信を行うカードリーダである。このカードリーダは、当該カードリーダと通信を行うカード媒体の種類を検出する検出アンテナと、前記検出アンテナに接続され前記カード媒体の特性を検出する検出回路と、前記検出回路の検出結果から判別基準に基づいて前記カード媒体の種類を判別する判別部と、を有し、前記検出アンテナが前記カード媒体と通信する周波数帯域は、前記非接触式ＩＣカードの使用周波数に対応する前記通信アンテナの周波数帯域とは異なって設定されている。
【０００７】
このカードリーダは、非接触式ＩＣカードと通信を行う通信アンテナとは別に、カードリーダと通信を行うカード媒体の種類を検出するための検出アンテナを備えている。さらに、このアンテナの出力からカード媒体の特性を検出する検出回路と、検出回路の検出結果から、判別基準、例えば、このカードリーダと通信することが想定されるカード媒体に対応する基準値と比較して、カード媒体の種類を判別する判別部とを含んでいる。したがって、通信に使用する使用周波数とは異なる周波数帯域において、通信アンテナとは異なるカード媒体検出用の検出アンテナでカード媒体からの信号を検出し、判別基準に基づいて判別するため、カードリーダに対して使用されたカード媒体の種類を判別でき、通信ができなった要因を推定することができる。
【０００８】
さらに、このカードリーダにおいては、前記検出回路は、前記検出アンテナで検出された電圧を整流する整流回路と、前記整流回路で整流された電圧をデジタルデータに変換する電圧変換回路とを含んでいることが好ましい。検出アンテナで検出した結果をデジタルデータに変換して判定基準と比較するため、カードの種類を判別しやすい。
【０００９】
また、この検出回路の前記電圧変換回路は、前記整流された電圧を基準電圧に対して比較した結果を前記判別部に出力するコンパレータを含んでいることが好ましい。簡易な回路構成でカード媒体の種類を判別できる。
【００１０】
前記基準電圧の一例は、当該カードリーダと通信することが想定される複数種類の前記カード媒体に対応する複数種類の基準電圧である。あらかじめ想定される複数の種類のカード媒体のそれぞれに対応する基準電圧を設定しておくことで、複数種類のカード媒体を判別できる。
【００１１】
また、前記電圧変換回路は、前記整流された電圧をアナログ・デジタル変換した結果を前記判別部に出力するＡ／Ｄコンバータを含んでいることが好ましい。より詳細にカード媒体の種類を判別できる。
【００１２】
前記検出アンテナは、ループ状の前記通信アンテナの内側に配置されていることが好ましい。検出アンテナの設置スペースを別のエリアに設ける必要が無く、カードリーダを大型化する必要がない。
【００１３】
前記検出アンテナは、前記非接触式ＩＣカードが挿入されるカード挿入部に配置されていることが好ましい。カード挿入時において早い段階で、カード種別を判断することができる。
【発明の効果】
【００１４】
本発明によれば、カード媒体の種類を検出でき、カード媒体との通信ができなかった場合の要因を推定することができる。
【図面の簡単な説明】
【００１５】
【図１】実施形態に係る、カードリーダの模式図である。
【図２】実施形態に係る、非接触式ＩＣカードと通信を行う通信モジュールの概略構成を示すブロック図である。
【図３】実施形態に係る、カード種別検出部の概略構成を示すブロック図である。
【図４】実施形態に係る、通信アンテナの内部に検出アンテナを設置したときの周波数特性を示すグラフである。
【図５】実施形態に係る、カード媒体の種類を判別する処理を示すフローチャートである。
【図６】他の実施形態１に係る、カードリーダの模式図である。
【発明を実施するための形態】
【００１６】
以下、発明を実施するための形態（以下、「実施形態」という）を、図面を参照しつつ説明する。
【００１７】
（カードリーダの構成）
図１は本実施形態に係る、カードリーダ１００の概略構成を模式的に示した図である。図１（ａ）は側面図、図１（ｂ）は平面図を模式的に表している。カードリーダ１００は、自動券売機等の所定の上位装置に搭載され、内部にＩＣチップ９２を埋め込んだ非接触式ＩＣカード（以下、単に「ＩＣカード９０」と称する。）から情報（カードデータ）の読み取りや、ＩＣカード９０に情報の書き込みを行う装置である。
【００１８】
カードリーダ１００は、リーダ本体６０と、リーダ本体６０の前面に取り付けられたカード挿入部８０とを備える。カード挿入部８０には、ＩＣカード９０が挿入されるカード挿入口８１と、その周囲を覆うベゼル部８２とが設けられている。
【００１９】
リーダ本体６０は、カード挿入口８１に挿入されたＩＣカード９０が搬送される搬送路１８１と、ＩＣカード９０を搬送路１８１に沿って搬送する複数のカード搬送ローラ１８２とを含む。カード搬送ローラ１８２は、図示しないモータによって回転駆動され、モータの正転または逆転に応じて、ＩＣカード９０を挿入方向（図１では右方向）または排出方向（図１では左方向）へ搬送する。また、リーダ本体６０の内部には、フォトセンサなどのカード位置センサ１８３が搬送路１８１に沿って複数配置されており、ＩＣカード９０の位置の把握が可能となっている。ＩＣカード９０がカード挿入口８１に挿入されると、カード搬送ローラ１８２により搬送され、カード位置センサ１８３により、所定位置（図示の２点鎖線で示すＩＣカード９０の位置、通信位置）Ｐに到着したことが検出される。
【００２０】
ＩＣカード９０の搬送先に対応する領域である通信位置Ｐの搬送路１８１に沿った上側部分には、ＩＣカード９０と非接触で通信を行う通信モジュール２００が配置されている。通信モジュール２００は、基板７０を備えている。基板７０には、図２で後述するＩＣカード９０との通信信号を処理する通信信号処理部２０５が実装されている。さらに、基板７０には、ＩＣカード９０と情報の通信などを行う通信アンテナ２１０が、通信位置Ｐに搬送されたＩＣカード９０のアンテナ（不図示）と対向するように、ループ形状のプリントパターンとして形成されている。カードリーダ１００は、この様な通信アンテナ２１０を備えた通信モジュール２００を介してＩＣカード９０と通信を行う。
【００２１】
図２は、ＩＣカード９０と電磁誘導によって非接触の通信を行い情報の送受信を行う通信モジュール２００の基本的な回路ブロックである。通信モジュール２００は、ＩＣカード９０と情報の通信を行う通信アンテナ２１０と、通信アンテナ２１０で送受信する通信信号を処理する通信信号処理部２０５とを有する。通信アンテナ２１０は、基板７０に形成されたループアンテナパターンであり、図２に示すようにＲ（抵抗）、Ｌ（コイル）およびＣ（コンデンサ）等の等価回路として表現できる。
【００２２】
通信信号処理部２０５には、通信モジュール２００全体の制御を行う非接触ＩＣ制御部２０１が基板７０に実装されている。非接触ＩＣ制御部２０１は、ＩＣカード９０との間で送受信される信号の変復調などを行うものであり、不図示のＣＰＵ、ＲＡＭ、ＲＯＭ、変調回路、検波回路、復調回路などを有している。非接触ＩＣ制御部２０１は、ＩＣカード９０に書き込む情報（データ）をＲＦ周波数帯に変調し、変調されたデータを、通信アンテナ２１０を介してＩＣカード９０に対し情報を書き込む。さらに、非接触ＩＣ制御部２０１は、通信アンテナ２１０を介してＩＣカード９０から送られてきた信号を検波し、検波信号から情報を検出する。
【００２３】
図３は、カード種別検出部１のブロック図である。通信モジュール２００は、通信信号処理部２０５とは別に、カードリーダ１００に挿入されたカード媒体の種類を判別するカード種別検出部１を備えている。カード種別検出部１は、カードリーダ１００と通信を行うカード媒体の種類を検出する検出アンテナ１０と、検出アンテナ１０に接続され、カード媒体の特性を検出する検出回路５０と、検出回路５０の検出結果を基に挿入されたカード媒体の種類を判別する判別部５５とを有する。
【００２４】
検出アンテナ１０は、ループアンテナである通信アンテナ２１０の内側に、ループアンテナとして、図１に示した基板７０に設けられている。検出アンテナ１０がカード媒体と通信する周波数帯域は、通信アンテナ２１０によりＩＣカード９０と情報を通信する際に使用される周波数（使用周波数）に対応する周波数帯域とは異なるように設定されている。このため、検出アンテナ１０は、通信アンテナ２１０とは異なる等価回路で表現される。すなわち、抵抗、コイルおよびコンデンサなどの回路素子の種類、個数、値などが異なる組合せで表現される。
【００２５】
検出回路５０は、検出アンテナ１０で検出された電圧を整流する整流回路２０と、整流回路２０で整流された電圧をデジタルデータに変換する電圧変換回路３０とを備えている。整流回路２０は、第１〜第４ダイオード２１〜２４を有する。第１ダイオード２１と第２ダイオード２２とがアノード同士を接続した第１の直列体と、第３ダイオード２３と第４ダイオード２４とがカソード同士を接続した第２の直列体とが、並列に配置され、検出アンテナ１０に接続されている。また、第１の直列体の第１ダイオード２１と第２ダイオード２２の接合点と、第２の直列体の第３ダイオード２３と第４ダイオード２４の接合点は、電圧変換回路３０に接続され、整流回路２０で整流された電圧が電圧変換回路３０に出力される。
【００２６】
電圧変換回路３０は、基準電圧を出力する電源回路（不図示）と、整流回路２０で整流された電圧を基準電圧に対して比較した結果を判別部５５に出力するコンパレータ（不図示）を含む。図４で詳述するように、基準電圧は、カードリーダ１００に挿入されることが想定される複数種類のカード媒体、例えば、非接触式ＩＣカード（ＩＣカード９０）、接触式ＩＣカード、磁気カード、金属カード（アルミニウム、金、プラチナ等）などのそれぞれの特性に対応する複数の電圧である。したがって、電圧変換回路３０は、整流回路２０で整流された電圧を、コンパレータで複数種類の基準電圧に対して順次比較し、比較結果をデジタルデータ（“Ｈ”または“Ｌ”）として判別部５５に出力する。
【００２７】
判別部５５は、例えば、ＣＰＵ等の演算装置であって、検出回路５０の電圧変換回路３０からの出力（すなわち比較結果、デジタルデータ）をもとに、カード挿入部８０に挿入されたカード媒体の種別を判別する。具体的には、電圧変換回路３０の比較結果に基づいて、比較結果がＨからＬ、またはＬからＨに変化するときの基準電圧を判断すること（判別基準）により、カード媒体の種類を判別する。
【００２８】
（カード媒体の周波数特性）
図４は、通信アンテナ２１０の内部に設置した検出アンテナ１０により受信される信号の周波数特性を示している。図４においては、横軸は周波数ｆを、縦軸はＳパラメータＳ１１を表し、非接触式ＩＣカード（ＩＣカード９０）、接触ＩＣカード、磁気カード、磁気カード（金属カード）の４種類のカード媒体についての検出結果を示している。図４（ａ）が計測結果全体を示しており、図４（ｂ）は縦軸、横軸をそれぞれ拡大して示している。ここで、Ｓパラメータとは、高周波電子回路などの特性を表すために用いられる回路網パラメータの１つであり、回路網の通過および反射電力特性を表したものである。なお、磁気カード（金属カード）は、図４（ａ）、（ｂ）において磁気カード（アルミカード）として示している。また、金属カードは、アルミカードに限定されるものではない。
【００２９】
図示のように、カード媒体の種類によって周波数特性が異なる。図４においては、接触ＩＣカードと磁気カードは、同じ周波数特性を示しているように見える。ここで、周波数ｆ１は、非接触式ＩＣカード（ＩＣカード９０）に対して通常の情報の通信を行う際に使用する周波数（使用周波数、通信用周波数）である。これに対し、本実施形態においては、例えば、図４（ｂ）において太破線で示すように、通信周波数ｆ１とは異なる周波数（検知用周波数）ｆ２を中心とする周波数帯域の信号を検出アンテナ１０で受信することにより、カードの種類を判別するように構成している。したがって、検知用周波数ｆ２におけるそれぞれのカード媒体に対応する電圧を基準電圧とし、電圧変換回路３０のコンパレータで比較した結果を、判別部５５で判定することにより、カードリーダ１００に挿入されたカード媒体の種類を判別できる。
【００３０】
検出用周波数ｆ２は、図４に太線で示す周波数に限らず、ＩＣカード９０との通信に影響を及ぼさないようにするために、ＩＣカード９０と通信を行う通信用周波数ｆ１とは異なる周波数を選択することが好ましい。具体的には、検知用周波数ｆ２は、カードリーダ１００に挿入することが予想される複数のカード媒体の周波数特性を確認し、カード媒体の種類を識別するための基準電圧を設定できるような、すなわち、周波数特性においてそれぞれのカード媒体に対するＳパラメータＳ１１の値が区別できる程度に異なっている任意の周波数に設定できる。
【００３１】
（カード媒体の種類判別方法）
図５に、カードリーダ１００に挿入されたカード媒体の種類を判別する処理の概要をフローチャートにより示している。ステップＳ１１０において、カードリーダ１００にカード媒体が挿入されると、ステップＳ１１１において、カード媒体は搬送路１８１に沿って、カード搬送ローラ１８２により搬送される。
【００３２】
ステップＳ１１２において、カード位置センサ１８３により、カード媒体が通信位置Ｐまで搬送されたことが検知されると、非接触ＩＣ制御部２０１は、通信アンテナ２１０を介してカード媒体と通信を行うために、活性化処理を行う。カード媒体に対し活性化ができなかった場合は、ステップＳ１１３において、カード種別検出部１の検出アンテナ１０で受信した検知用周波数ｆ２に対応した信号を、整流回路２０により直流電圧に整流する。さらに、ステップＳ１１４において、電圧変換回路３０により、整流された電圧を、あらかじめ設定されている複数の基準電圧、本実施形態においては、３種類の基準電圧に対してコンパレータで順次比較し、比較結果（“Ｈ”または“Ｌ”）を判別部５５に出力する。
【００３３】
ステップＳ１１５において、判別部５５は、電圧変換回路３０の検出結果がＨからＬに、またはＬからＨに変化するときの基準電圧から、挿入されたカード媒体の種類を判別する。さらに、判別部５５は、以下のように通信ができなった原因を推定する。判別したカード媒体の種別が、非接触式ＩＣカード（ＩＣカード９０）以外であれば、カードリーダ１００に挿入されたカード媒体の種類が間違っていたためであると推定する。一方、挿入されたカード媒体が本来のＩＣカード９０である場合は、カード媒体の種類は適正であるが、挿入方向が間違っているか、ＩＣチップ９２の故障が原因であると推定する。
【００３４】
次に、ステップＳ１１６において、カード種別検出部１は、非接触ＩＣ制御部２０１や、ネットワークを介してサーバー、ホストなどに対し、判別したカード媒体の種類や通信ができなかった要因など出力し、カード媒体の利用者などに対して、挿入されたカード媒体と通信できない理由などを提供することができる。
【００３５】
一方、ステップＳ１１２において、挿入されたカード媒体が非接触式ＩＣカード（ＩＣカード９０）であって、活性化が行われると、ステップＳ１１７において、ＩＣカード９０と電磁誘導により非接触で必要な情報の通信を行う。ステップＳ１１８において、通信が終了すると、ステップＳ１１９において、ＩＣカード９０は搬送路１８１に沿って搬送され、カード挿入部８０から排出される。
【００３６】
（本態様の主な効果）
上記の通り、このカードリーダ１００においては、ＩＣカード９０と通信を行う通信アンテナ２１０とは別に、検出アンテナ１０を設け、検出アンテナ１０で検出された信号を検出回路５０により予め設定されている複数種類の基準電圧に対してコンパイラで比較し、得られた比較結果からカードの種類を判別する。したがって、カードリーダ１００に挿入されたカード媒体が、本来使用することが想定されている非接触式ＩＣカード（ＩＣカード９０）か、それ以外のカード、例えば、接触式ＩＣカード、磁気カード、金属カードなどであるかなど、カードの種類を判別することができる。このため、カード媒体との通信ができない場合に、その原因が間違ったカード媒体が挿入されたためであるのか、または挿入されたカードは非接触式ＩＣカード９０であるが、ＩＣカードの挿入方向が間違っていたり、ＩＣチップ９２が故障しているためであることなどを推定することができる。
【００３７】
さらに、カード媒体の種類を判別する際に使用される検知用周波数ｆ２は、ＩＣカード９０と情報の通信を行う通信用周波数ｆ１に対応する周波数帯域とは異なる、周波数に対応する周波数帯域に設定されているため、カードリーダ１００にカード種別検出部１が設けられていても、ＩＣカード９０との通信に影響を及ぼしにくい状態で、カード媒体の種別を判別できる。
【００３８】
また、検出アンテナ１０をループ状の通信アンテナ２１０の内部に配置することで、カードリーダ１００や通信モジュール２００を大型化することなく、カード種別検出部１を設けることができる。
【００３９】
（他の実施形態１）
図６に、異なる態様のカードリーダ１０１の概要を模式的に示している。図６（ａ）は側面図、図６（ｂ）は平面図を表している。図１に示したカードリーダ１００においては、カード種別検出部１の検出アンテナ１０は、通信アンテナ２１０の内部に設置されていたが、図６のカードリーダ１０１においては、検出アンテナ１１が、カード挿入部８０のベゼル部８２に設置されている。本実施形態においては、検出アンテナ１１は、ＩＣカード９０が搬送される搬送路１８１の上側にループ状のアンテナが、ＩＣカード９０の搬送方向と直交するカード媒体の幅方向に延びるように形成されている。検出アンテナ１１は、搬送路１８１の下側に配置してもよい。その他の構成は、図１に示したカードリーダ１００と同様に構成されている。
【００４０】
このカードリーダ１０１においては、図５のステップＳ１１０において、カード媒体が挿入されると、まず、ステップＳ１１３〜Ｓ１１６と同様にしてカード種別検出部１が、検出アンテナ１１の下方を搬送路１８１に沿って通過するカード媒体の種別を判別する。カード媒体の種類が非接触式ＩＣカード（ＩＣカード９０）でない場合、搬送の途中で、あるいは通信位置Ｐまで搬送された後、カード媒体との通信を活性化する前に、カード挿入部８０からカード媒体が排出される。これにより、挿入されたカード媒体が間違っていることを利用者等に早い段階で通知することができる。
【００４１】
さらに、このカードリーダ１０１においては、カードリーダ１００と同様に検出用周波数ｆ２を通信用周波数ｆ１とは異なる周波数帯域に設定することに加え、検出アンテナ１１を通信位置Ｐから離れた、カード挿入部８０のベゼル部８２に配置している。このため、ＩＣカード９０との通信に影響をさらに及ぼしにくい状態でカード媒体の種別を判別できる。
【００４２】
（他の実施形態２）
図１のカードリーダ１００においては、図３で説明したように、電圧変換回路３０は、整流回路２０で整流された電圧を、複数の基準電圧と比較して出力するコンパレータを備えていたが、整流された電圧をデジタルデータに変換する回路として、電圧変換回路３０がＡ／Ｄコンバータ（アナログ・デジタル・コンバータ）を備えていてもよい。この場合、電圧変換回路３０は、整流回路２０で整流されたで電圧をＡ／Ｄコンバータでデジタルデータに変換して、変換したデータ（変換値、検出結果）を判別部５５に出力する。
【００４３】
判別部５５は、あらかじめ設定されている判別基準（検出用周波数ｆ２におけるカード媒体ごとの電圧値）に基づいてカード媒体の種類を判別する。判別部５５は、検出アンテナ１１で受信したカード媒体からの信号を、デジタル化された電圧値で判定できるため、より詳細にカード媒体の種類を判別できる。このため、図４（ｂ）においては、接触式ＩＣカードと磁気カードとにおいて周波数特性に違いがみられなかったが、電圧変換回路３０としてＡ／Ｄコンバータを用いることにより、必要があればこれらのカードの違いを判別することも可能となる。
【００４４】
さらに、カードリーダ１００に本来使用が想定されているＩＣカード９０が挿入された場合においても、ＩＣカード９０の裏表や挿入方向が違っている場合、それぞれの挿入方法によってＩＣチップ９２の位置、向きなどが異なることから、カード種別検出部１で検出される周波数特性はそれぞれ異なってくる。したがって、それぞれの場合の電圧値を、あらかじめ判別部５５に設定しておくことにより、挿入されたカード媒体が本来のＩＣカード９０であっても、通信ができない要因をさらに詳細に推定できる。このため、非接触式ＩＣカード（ＩＣカード９０）が挿入され、ＩＣカード９０の表裏および挿入方向が正しい場合において、ＩＣカード９０と通信できない場合は、ＩＣチップ９２が故障している可能性が高いと予想できる。
【００４５】
このように、カードリーダ１００、１０１においてカード挿入時にカード媒体との通信ができなかった場合に、単にエラーを出力するだけでなく、エラー要因がカード媒体の種類にあるのか、他の要因、例えば、カードの向きや挿入方向の間違い、ＩＣチップの故障などであるのかの判断が可能になる。したがって、カードリーダ１００、１０１が取り付けられている上位装置において、ユーザに対してその旨を通知することができる。
【００４６】
以上においては、検出アンテナ１０、１１が通信アンテナ２１０の内側またはベゼル部８２に配置された実施態様について説明を行っているが、検出アンテナ１０、１１は、ループ状の通信アンテナ２１０の外側に配置されていてもよく、ＩＣカード９０からの信号を受信できるいずれかの場所に配置してもよい。
【００４７】
カードリーダ１００に挿入されたカード媒体が、本来の非接触式ＩＣカード（ＩＣカード９０）か、それ以外のカードかの判別のみでよい場合は、電圧変換回路３０のコンパレータに対して用いる基準電圧は非接触式ＩＣカード（ＩＣカード９０）に対応する１種類のみとすることができる。この場合、判別部５５は、Ｈ／Ｌの値でカード媒体の種類を判別できる。したがって、回路構成を簡素化できる。
【００４８】
カード種別検出部１が、挿入されたカード媒体の種類を判別する処理は、図５に示した通り、通信信号処理部２０５がカード媒体に対して活性化処理を行った後に行ってもよく、活性化処理を行う前や、活性化処理と並行して行ってもよい。
【００４９】
本発明を、実施の形態をもとに説明したが、この実施の形態は例示であり、それらの各構成要素の組み合わせ等にいろいろな変形例が可能なこと、またそうした変形例も本発明の範囲にあることは当業者に理解されるところである。
【符号の説明】
【００５０】
１  カード種別検出部
１０、１１  検出アンテナ
２０  整流回路
２１〜２４  第１〜第４ダイオード
３０  電圧変換回路
５０  検出回路
５５  判別部
６０  リーダ本体
７０  基板
８０  カード挿入部
８１  カード挿入口
８２  ベゼル部
９０  ＩＣカード
９２  ＩＣチップ
１００、１０１  カードリーダ
１８１  搬送路
１８２  カード搬送ローラ
１８３  カード位置センサ
２００  通信モジュール
２０１  非接触ＩＣ制御部
２０５  通信信号処理部
２１０  通信アンテナ
Ｐ  通信位置
【図１】
2019114069.tif 000003
【図２】
2019114069.tif 000004
【図３】
2019114069.tif 000005
【図４】
2019114069.tif 000006
【図５】
2019114069.tif 000007
【図６】
2019114069.tif 000008